(57)【要約】【課題】単体で泡状の液体の噴出範囲を変化させることができるトリガー式液体噴出器を提供する。【解決手段】噴出器本体１１と、液体を噴射する噴出孔２６ａを有するノズル機構２０と、を備えるトリガー式液体噴出器１。噴出器本体１１は、縦供給筒部１２と、トリガー部１５の後方への揺動によって液体を縦供給筒部１２内から噴出孔側に向けて流通させるトリガー機構Ｔと、を有する。ノズル機構２０は、噴出器本体１１に固定される中継部材２１と、噴出孔２６ａを有するノズル本体２２と、噴出孔２６ａを囲む造泡筒２４と、ノズル本体２２に対して移動可能に連結され噴出孔２６ａを前方から閉塞可能な蓋部材５０と、を有する。造泡筒２４は、造泡筒２４の内側に外気を導入する外気導入孔２４ａを有し、ノズル本体２２に対して前後方向に移動可能である。【選択図】図２
2020192514.tif 000002
【特許請求の範囲】
【請求項１】
容器体に装着される噴出器本体と、
前記噴出器本体の前方側に位置し、前記容器体内の液体を噴射する噴出孔を有するノズル機構と、を備え、
前記噴出器本体は、
上下方向に延在し、前記容器体内に液体を吸い上げる縦供給筒部と、
前記縦供給筒部の前方に前方付勢状態で後方に揺動自在に配設されるトリガー部を有し、前記トリガー部の後方への揺動によって、液体を前記縦供給筒部内から前記噴出孔側に向けて流通させるトリガー機構と、
を有し、
前記ノズル機構は、前記噴出器本体に固定される中継部材と、前記中継部材の前方に装着され前記噴出孔を有するノズル本体と、前記ノズル本体の前方に装着されて前記噴出孔を囲む造泡筒と、前記ノズル本体に対して移動可能に連結され前記噴出孔を前方から閉塞可能な蓋部材と、を有し、
前記造泡筒は、前記造泡筒の内側に外気を導入する外気導入孔を有し、前記ノズル本体に対して前後方向に移動可能である、
トリガー式液体噴出器。
【請求項２】
前記蓋部材は、前記造泡筒が最も前方に位置する状態においても、前記噴出孔を閉塞可能である、
請求項１に記載のトリガー式液体噴出器。
【請求項３】
前記造泡筒が最も後方に位置する状態において、
前記噴出孔を閉塞する噴出規制位置に位置する前記蓋部材と前記造泡筒との間に前後方向の隙間を有する、
請求項１または２に記載のトリガー式液体噴出器。
【請求項４】
前記ノズル本体の前方側の端部に、前記蓋部材と前記ノズル本体とを連結するヒンジ部を有し、
前記蓋部材は、
前記噴出孔を閉塞する噴出規制位置において前記ヒンジ部から前方に延びる連結部と、
前記連結部に接続され前記噴出規制位置において前記噴出孔を前方から閉塞する蓋本体と、
を有する、
請求項１から３のいずれか１項に記載のトリガー式液体噴出器。
【発明の詳細な説明】
【技術分野】
【０００１】
本発明は、トリガー式液体噴出器に関する。
【背景技術】
【０００２】
液体を泡状にして吐出可能なトリガー式液体噴出器として、例えば下記特許文献１の構成が知られている。このトリガー式液体噴出器は、液体が噴出されるノズル部材の先端に、筒状の造泡部を備える。
【先行技術文献】
【特許文献】
【０００３】
【特許文献１】特開２０１７−４７３５０号公報
【発明の概要】
【発明が解決しようとする課題】
【０００４】
しかし、従来のトリガー式液体噴出器では、泡状の液体の噴出範囲は固定されており、噴出範囲を変更するためには造泡部の部品交換が必要であった。
【０００５】
本発明は、単体で泡状の液体の噴出範囲を変化させることができるトリガー式液体噴出器を提供することを目的の一つとする。
【課題を解決するための手段】
【０００６】
本発明の一態様によれば、容器体に装着される噴出器本体と、前記噴出器本体の前方側に位置し、前記容器体内の液体を噴射する噴出孔を有するノズル機構と、を備え、前記噴出器本体は、上下方向に延在し、前記容器体内に液体を吸い上げる縦供給筒部と、前記縦供給筒部の前方に前方付勢状態で後方に揺動自在に配設されるトリガー部を有し、前記トリガー部の後方への揺動によって、液体を前記縦供給筒部内から前記噴出孔側に向けて流通させるトリガー機構と、を有し、前記ノズル機構は、前記噴出器本体に固定される中継部材と、前記中継部材の前方に装着され前記噴出孔を有するノズル本体と、前記ノズル本体の前方に装着されて前記噴出孔を囲む造泡筒と、前記ノズル本体に対して移動可能に連結され前記噴出孔を前方から閉塞可能な蓋部材と、を有し、造泡筒は、前記造泡筒の内側に外気を導入する外気導入孔を有し、前記ノズル本体に対して前後方向に移動可能である、トリガー式液体噴出器が提供される。
【０００７】
上記トリガー式液体噴出器によれば、造泡筒の前端開口から泡状の液体を噴出させることができる。造泡筒が前後方向に移動可能であることにより、造泡筒の前端開口部と噴出孔との前後方向の距離を変化させることができる。これにより、造泡筒が前方に位置するときと、造泡筒が後方に位置するときとで、噴出孔から噴出された液体の噴出範囲が造泡筒により狭められる範囲を変化させることができる。したがって、本発明によれば、単体で泡状の液体の噴出範囲を変化させることができるトリガー式液体噴出器が提供される。
【０００８】
前記蓋部材は、前記造泡筒が最も前方に位置する状態においても、前記噴出孔を閉塞可能である構成としてもよい。
この構成によれば、造泡筒の位置によらず噴出孔を閉塞できるため、トリガー式液体噴出器の使い勝手を向上させることができる。
【０００９】
前記造泡筒が最も後方に位置する状態において、前記噴出孔を閉塞する噴出規制位置に位置する前記蓋部材と前記造泡筒との間に前後方向の隙間を有する構成としてもよい。
この構成によれば、上記隙間の範囲内で造泡筒の前後方向の位置が変化したとしても、蓋部材を噴出規制位置に配置できる。したがって、蓋部材により噴出孔を閉塞する際に造泡筒を後方側に移動させる必要が少なくなり、トリガー式液体噴出器の使い勝手を向上させることができる。
【００１０】
前記ノズル本体の前方側の端部に、前記蓋部材と前記ノズル本体とを連結するヒンジ部を有し、前記蓋部材は、前記噴出孔を閉塞する噴出規制位置において前記ヒンジ部から前方に延びる連結部と、前記連結部に接続され前記噴出規制位置において前記噴出孔を前方から閉塞する蓋本体と、を有する構成としてもよい。
この構成によれば、ヒンジ部から前方に延びる連結部を備えることで、蓋部材の蓋本体とノズル本体との間隔を大きくすることができる。これにより、ノズル本体と蓋本体との間に造泡筒が移動可能なスペースを確保しやすくなる。したがって、蓋部材により噴出孔を閉塞する際に造泡筒を後方側に移動させる必要が少なくなり、トリガー式液体噴出器の使い勝手を向上させることができる。
【発明の効果】
【００１１】
本発明によれば、単体で泡状の液体の噴出範囲を変化させることができるトリガー式液体噴出器が提供される。
【図面の簡単な説明】
【００１２】
【図１】実施形態のトリガー式液体噴出器の側面図。
【図２】実施形態のトリガー式液体噴出器の縦断面図。
【図３】広角噴射状態のノズル機構の縦断面図。
【図４】実施形態のトリガー式液体噴出器の正面図。
【図５】ノズル機構の横断面図。
【図６】噴出範囲を切り替える機構の説明図。
【図７】狭角噴射状態における蓋部材の開閉動作を示す縦断面図。
【発明を実施するための形態】
【００１３】
以下、図面を参照し、発明の実施の形態について説明する。実施形態に係るトリガー式液体噴出器１は、液体が収容された容器体Ａに装着されるとともに、容器体Ａ内の液体を吸上げる縦供給筒部１２を有する噴出器本体１１と、液体を噴出する噴出孔２６ａが形成されたノズル機構２０と、を備える。
ここで、本実施形態では、縦供給筒部１２の中心軸線Ｏ１に沿う方向を上下方向といい、上下方向に沿って容器体側を下側、その反対側を上側という。上下方向から見て、縦供給筒部１２に対してノズル機構２０が位置している側を前側、その逆側を後側という。上下方向から見て、前後方向に直交する方向を左右方向という。
【００１４】
噴出器本体１１は、図１および図２に示すように、上下方向に延びる縦供給筒部１２と、縦供給筒部１２の前方に配設され、縦供給筒部１２内の液体を噴出孔２６ａに導く射出筒部１３と、縦供給筒部１２の前方に前方付勢状態で後方に移動可能に配設されたトリガー部１５を有するトリガー機構Ｔと、縦供給筒部１２、射出筒部１３および後述するシリンダ１４ａを上方、後方および左右方向から一体に覆うカバー体Ｃと、を備える。
【００１５】
縦供給筒部１２は、多段の筒状に形成されている。縦供給筒部１２は、大径部１２ａと、大径部１２ａから上方に延びる小径部１２ｂと、を備える。大径部１２ａには、容器体の口部に装着される装着筒部１６が取り付けられている。小径部１２ｂ内には、パイプ１７が嵌合されている。パイプ１７の下端開口部は、装着筒部１６が口部に取り付けられたときに容器体内の底部に位置する。小径部１２ｂの上端部内には、吸い上げ弁１８が配設されている。吸い上げ弁１８は、後述するシリンダ１４ａ内が加圧されたときに閉弁してパイプ１７内と射出筒部１３内との連通を遮断させ、減圧されたときに開弁してパイプ１７内と射出筒部１３内とを連通させる。
【００１６】
射出筒部１３は、縦供給筒部１２から前方に向けて延設されている。射出筒部１３の内側は、縦供給筒部１２の内部に連通している。トリガー部１５は、射出筒部１３から下方に向けて延設されている。トリガー部１５は、前方付勢状態で後方に移動可能に配設されている。トリガー部１５は、上方から下方に向かうに従い漸次、前方に向けて延びている。
【００１７】
トリガー機構Ｔは、トリガー部１５の後方への移動によって、液体を縦供給筒部１２内から射出筒部１３内に導入させるとともに、射出筒部１３内から噴出孔２６ａ側に向けて流通させる。トリガー機構Ｔは、トリガー部１５に連動して前後方向に移動するピストン１４ｂと、ピストン１４ｂが挿入され、かつ内部が縦供給筒部１２内に連通したシリンダ１４ａと、トリガー部１５を前方に付勢する弾性部材１９と、を備える。
【００１８】
シリンダ１４ａは、前後方向に延設され前方に向けて開口している。シリンダ１４ａは、縦供給筒部１２とは別体に形成されている。シリンダ１４ａは、縦供給筒部１２の前面に組み付けられている。シリンダ１４ａ内には、その前端開口から後方に向けてピストン１４ｂが前後摺動可能に嵌合されている。シリンダ１４ａの前端開口縁と、トリガー部１５の後部と、の間に、前後方向の隙間が設けられている。ピストン１４ｂの前端にはトリガー部１５が連結されている。トリガー部１５の前後動に伴ってピストン１４ｂがシリンダ１４ａに対して前後動させられることにより、シリンダ１４ａの内圧が加圧および減圧される。シリンダ１４ａ、ピストン１４ｂ、およびトリガー部１５それぞれの左右方向の中央部の位置は互いに一致している。
【００１９】
弾性部材１９は、射出筒部１３を左右方向に挟み込むように一対配置されている。各々の弾性部材１９の上端部は、射出筒部１３側に固定されている。各々の弾性部材１９の下端部は、トリガー部１５に固定されている。
【００２０】
ノズル機構２０は、噴出器本体１１の前方側に配設されている。噴出孔２６ａは、前方に向けて開口している。
以下、前後方向から見て、噴出孔２６ａの中心軸線Ｏ２に交差する方向をノズル径方向といい、中心軸線Ｏ２回りに周回する方向をノズル周方向という。
【００２１】
ノズル機構２０は、図３に示すように、中継部材２１と、ノズル本体２２と、蓄圧弁２３と、造泡筒２４と、蓋部材５０と、を備えている。
中継部材２１は、後方に開口する有頂筒状に形成されている。中継部材２１の周壁部内には、射出筒部１３の前端部が嵌合されている。中継部材２１は、射出筒部１３の前方に位置する前壁部２１ａを有する。前壁部２１ａは、前壁部２１ａを前後方向に貫通する連通孔２１ｂを有する。連通孔２１ｂは、射出筒部１３の前端開口部１３ａを通じて射出筒部１３内に連通する。中継部材２１は、前壁部２１ａから前方へ延びる取付筒３１を有する。取付筒３１は、射出筒部１３の軸線に対して下方に偏心した位置から前方に延びる筒状である。
【００２２】
ノズル本体２２は、連結筒部３２と、上側被覆壁３６ａと、下側被覆壁３６ｂと、弁座部２５と、摺動筒部３０と、ノズルチップ２８と、キャップ装着筒部３３と、梁部３４ａ〜３４ｄと、を備える。
【００２３】
連結筒部３２は、取付筒３１を径方向外側から囲む。上側被覆壁３６ａは、連結筒部３２の上側に位置する。下側被覆壁３６ｂは、連結筒部３２の下側に位置する。弁座部２５は、連結筒部３２の内側に配置されている。弁座部２５は、蓄圧弁２３の前端部が着座させられる環状に形成されている。摺動筒部３０は、径方向において弁座部２５と連結筒部３２との間に位置する。ノズルチップ２８は、弁座部２５の前側に配置されている。キャップ装着筒部３３は、ノズルチップ２８をその径方向外方から囲む。梁部３４ａ〜３４ｄは、キャップ装着筒部３３を径方向外側から囲む。弁座部２５、ノズルチップ２８、摺動筒部３０、キャップ装着筒部３３は同軸に配置されている。
【００２４】
連結筒部３２は取付筒３１に外側に嵌合され、摺動筒部３０は取付筒３１の内側に嵌合されている。これにより、ノズル本体２２が中継部材２１の前方に固定されている。
キャップ装着筒部３３には、前端に噴出孔２６ａが形成され後端が開放されたノズルキャップ２６が嵌合されている。ノズルキャップ２６は、キャップ装着筒部３３にその径方向の内側から嵌合されている。ノズルチップ２８の外周部には、前後方向における全長にわたって延在するノズル連通溝が形成されている。ノズル連通溝は、噴出孔２６ａおよび弁座部２５の内側にそれぞれ連通する。
【００２５】
中継部材２１とノズル本体２２との間に画成された空間は、蓄圧室３５を構成している。蓄圧室３５内には、蓄圧弁２３が収容されている。蓄圧弁２３は、コイルスプリング６０によって前方に付勢され、蓄圧室３５内において後方移動可能である。蓄圧弁２３は、ノズル本体２２の前壁部に形成された弁座部２５に着座し、噴出孔２６ａを閉塞する。蓄圧弁２３の後半部には小径ピストン部２３ａが形成されている。蓄圧弁２３の前半部には大径ピストン部２３ｂが形成されている。蓄圧弁２３は、連通孔２１ｂを通じて蓄圧室３５に導入される液体の圧力を小径ピストン部２３ａおよび大径ピストン部２３ｂに作用させる。この圧力が一定以上となると、小径ピストン部２３ａおよび大径ピストン部２３ｂの受圧面積の差により蓄圧弁２３が後退し、噴出孔２６ａを開放する。
【００２６】
図３および図４に示すように、梁部３４ａ〜３４ｄは、キャップ装着筒部３３を径方向外側から囲む位置に、周方向に並んで配置される。キャップ装着筒部３３の上側において左右方向に並ぶ２本の梁部３４ａ、３４ｂは、上側被覆壁３６ａの前端から前方に延びる。キャップ装着筒部３３の下側において左右方向に並ぶ２本の梁部３４ｃ、３４ｄは、下側被覆壁３６ｂの前端から前方に延びる。梁部３４ａと梁部３４ｃは、キャップ装着筒部３３の左側において上下方向に対向する。梁部３４ｂと梁部３４ｄは、キャップ装着筒部３３の右側において上下方向に対向する。
【００２７】
上側の２本の梁部３４ａ、３４ｂは、互いに対向する面に、それぞれの前端部から後方に向かって凹む切欠部３８ａ、３８ｂを有する。梁部３４ａは、図３に示すように、梁部３４ｂと対向する右側の側面に、切欠部３８ａの後端から後方に延びる突条３７を有する。梁部３４ｂは、梁部３４ａと対向する面に、梁部３４ａの突条３７と同様の突条を有する。梁部３４ａ、３４ｂの突条は、蓋部材５０の回り止めとして機能する。
下側の２本の梁部３４ｃ、３４ｄは、互いに対向する面に、梁部３４ｃ、３４ｄが離れる方向にそれぞれ凹む切欠部３８ｃ、３８ｄを有する。
【００２８】
ノズル機構２０は、図３および図４に示すように、ノズル本体２２の前方側に位置する造泡筒２４と、造泡筒２４の外周面に接続される操作体４０とを有する。
【００２９】
造泡筒２４は、キャップ装着筒部３３に外嵌されている。造泡筒２４は、噴出孔２６ａの前方に配設され、噴出孔２６ａを囲む。造泡筒２４の径方向外側に、４本の梁部３４ａ〜３４ｄが配置される。造泡筒２４は、内側に外気を導入する複数の外気導入孔２４ａを有する。外気導入孔２４ａは、造泡筒２４を径方向に貫通する。外気導入孔２４ａの少なくとも一部は、キャップ装着筒部３３よりも前側に位置している。外気導入孔２４ａは、造泡筒２４に全周にわたって間隔をあけて複数配置されている。本実施形態の場合、図４に示すように、外気導入孔２４ａは、造泡筒２４の周壁を上下左右に貫通する４箇所に配置されている。
【００３０】
操作体４０は、図３および図４に示すように、接続壁４１と、２つの操作部４２と、２つの係止片４３と、を有する。
接続壁４１は、操作体４０の前端に位置する。接続壁４１は、造泡筒２４の外周面から左右方向に延びる。２つの操作部４２は、接続壁４１の左端および右端からそれぞれノズル本体２２の側面に沿って後方に延びる。２つの係止片４３は、２つの操作部４２のノズル径方向内側にそれぞれ位置し、接続壁４１の後方を向く面からそれぞれ後方に延びる。
【００３１】
接続壁４１は、図３に示すように、接続壁４１の上側の辺から下側へ凹む矩形状の切欠部４１ａと、接続壁４１の下側の辺から上側へ凹む矩形状の切欠部４１ｂとを有する。上側の切欠部４１ａ内に梁部３４ａと梁部３４ｂとが配置される。下側の切欠部４１ｂ内に梁部３４ｃと梁部３４ｄとが配置される。操作体４０は、梁部３４ａ〜３４ｄによって回り止めされた状態で、中心軸線Ｏ２に沿って前後方向に移動可能である。
【００３２】
係止片４３は、図５に示すように、後端部にノズル径方向内側へ突出する係合爪４３ａを有する。係止片４３は、ノズル本体２２の連結筒部３２の外周面と左右方向において対向する。連結筒部３２は、係止片４３と対向する面の前端部において径方向外側に突出する係合爪３２ａを有する。係止片４３の係合爪４３ａは、操作体４０および造泡筒２４が前方に移動されて所定位置に達したときに、連結筒部３２の係合爪３２ａに引っ掛かる。これにより、操作体４０および造泡筒２４の前方への移動が制止される。上記構成により、操作体４０および造泡筒２４はノズル本体２２から抜け止めされる。
【００３３】
操作部４２は、ノズル本体２２の側面に位置する。ノズル機構２０は、図１に示すように、操作部４２をノズル本体に対して前後方向の２箇所で固定可能なスライドロック機構２０ａ、２０ｂを有する。スライドロック機構２０ａ、２０ｂは、ノズル機構２０の左側の側面にも配置される。
【００３４】
図１および図４に示すように、ノズル本体２２は、左側の側面の後端部における上部および下部に、上部側壁３９ａおよび下部側壁３９ｃを有する。ノズル本体２２は、右側の側面の後端部における上部および下部に、上部側壁３９ｂおよび下部側壁３９ｄを有する。上部側壁３９ａ、３９ｂおよび下部側壁３９ｃ、３９ｄは、連結筒部３２の後端からノズル径方向外側へ延びる支持壁３９のノズル径方向外側の端部にそれぞれ接続される。
【００３５】
図６（ａ）に示すように、操作部４２の後端部は、上部側壁３９ａ、３９ｂおよび下部側壁３９ｃ、３９ｄのノズル径方向内側に配置される。操作部４２は、上部側壁３９ａ、３９ｂと対向する領域に、ノズル径方向外側に突出する係合爪４２ａを有する。操作部４２は、下部側壁３９ｃ、３９ｄと対向する領域に、係合爪４２ｂを有する。
上部側壁３９ａ、３９ｂは、操作部４２と対向する面に、ノズル径方向内側に突出する係合爪４９ａを有する。下部側壁３９ｃ、３９ｄは、操作部４２と対向する面に、ノズル径方向内側に突出する係合爪４９ｂを有する。
【００３６】
上側のスライドロック機構２０ａは、操作部４２の係合爪４２ａと、上部側壁３９ａ、３９ｂとにより構成される。下側のスライドロック機構２０ｂは、操作部４２の係合爪４２ｂと、下部側壁３９ｃ、３９ｄとにより構成される。
【００３７】
ノズル機構２０において、使用者は、操作体４０を手指で操作することにより、造泡筒２４を前後方向に移動させることができる。図３には、造泡筒２４が後方側の後退位置に位置する状態が示される。図６（ａ）には、後退位置におけるスライドロック機構２０ａ、２０ｂの状態が示される。
【００３８】
後退位置において、上側のスライドロック機構２０ａでは、係合爪４２ａと係合爪４９ａとが係合され、操作部４２の前方への移動が規制される。操作部４２の後方への移動は、操作部４２の側面からノズル径方向外側に突出する突条４２ｃと、上部側壁３９ａおよび下部側壁３９ｃの前方を向く端面とが突き当たることにより阻止される。これにより、操作体４０の前後方向への移動が規制され、造泡筒２４が後退位置に固定される。
なお、後退位置において、下側のスライドロック機構２０ｂでは、係合爪４２ｂの前方側の斜面と、係合爪４９ｂの後方側の斜面とが対向するため、係合爪４２ｂと係合爪４９ｂとは係合されない。
【００３９】
造泡筒２４を前方側の前進位置に移動させるには、まず、使用者は、左右の操作部４２を手指でつまみ、左右の操作部４２を互いに近づける方向に押し込む。これにより、図６（ｂ）に示すように、操作部４２の係合爪４２ａがノズル径方向内側に移動し、係合爪４２ａと係合爪４９ａとの係合が解除される。これにより、操作部４２が前方へ移動可能な状態となる。
【００４０】
その後、使用者が左右の操作部４２を押し込んだまま、操作体４０を前方へ移動させることで、造泡筒２４を前方へ移動させることができる。操作体４０が所定位置まで前進されると、図５に示すように、係止片４３の係合爪４３ａが連結筒部３２の係合爪３２ａに突き当たり、操作体４０の前方への移動が制止される。このときの造泡筒２４の位置が、図７に示す前進位置である。
【００４１】
図６（ｃ）には、造泡筒２４が前進位置に達したときのスライドロック機構２０ａ、２０ｂの状態が示される。操作部４２の係合爪４２ａは上部側壁３９ａの係合爪４９ａよりも前側に位置する。操作部４２の係合爪４２ｂは下部側壁３９ｃの係合爪４９ｂよりも前側に位置する。
【００４２】
図６（ｃ）に示される状態から、使用者が左右の操作部４２を押し込みを解除すると、図６（ｄ）に示すように、操作部４２の係合爪４２ｂが、下部側壁３９ｃの係合爪４９ｂに係合し、操作体４０の後方への移動が規制される。操作体４０の前方への移動は、係止片４３により規制される。これにより、操作体４０の前後両方向への移動が規制され、造泡筒２４が前進位置に固定される。
なお、前進位置において、上側のスライドロック機構２０ａでは、係合爪４２ａの後方側の斜面と、係合爪４９ａの前方側の斜面とが対向するため、係合爪４２ａと係合爪４９ａとは係合されない。
【００４３】
本実施形態のノズル機構２０では、造泡筒２４が前後方向に移動可能であることにより、造泡筒２４の前端開口部と噴出孔２６ａとの前後方向の距離を変化させることができる。これにより、造泡筒２４が前進位置に位置するときと、後退位置に位置するときとで、噴出孔２６ａから噴出される液体を遮断する範囲が変化する。すなわち、造泡筒２４は、図７に示す前進位置にあるとき、ノズル機構２０から噴出される泡状の液体の噴出範囲をより狭める。よって、トリガー式液体噴出器１は、単体で噴出される泡状の液体の噴出範囲を変更可能である。
【００４４】
本実施形態では、図３に示す造泡筒２４の後退位置において、造泡筒２４の外気導入孔２４ａは、後方側の一部がキャップ装着筒部３３によって閉塞される。一方、図７に示す造泡筒２４の前進位置では、外気導入孔２４ａは、全体が造泡筒２４の内側に開口する。造泡筒２４が前進位置にあるときと後退位置にあるときでは、造泡筒２４の内側に流入する空気量が変化する。したがって、トリガー式液体噴出器１では、造泡筒２４の前後移動によって、泡状の液体の態様も変化する。
【００４５】
本実施形態のトリガー式液体噴出器１は、噴出孔２６ａを通した外部とノズル機構２０内との連通を遮断する遮断手段として、蓋部材５０を備える。蓋部材５０は、ノズル機構２０に配設され、噴出孔２６ａを前方から開閉可能に閉塞する。
【００４６】
蓋部材５０の上端部は、図３および図４に示すように、ヒンジ部７０を介してノズル本体２２に連結される。本実施形態の場合、蓋部材５０は、その上端部においてノズル本体２２の梁部３４ａ、３４ｂの切欠部３８ａ、３８ｂに、左右方向に延びる軸線回りに回動可能に装着される。蓋部材５０は、図２に示す噴出孔２６ａを閉塞する噴出規制位置と、図３に示す噴出孔２６ａが開放される噴出可能位置との間で相互に移動可能である。
【００４７】
蓋部材５０は、切欠部３８ａ、３８ｂに回転自在に支持される軸部５０ａ、５０ｂと、軸部５０ａ、５０ｂの間から延びる連結部５１と、連結部５１の先端に接続される蓋本体５２と、蓋本体５２の連結部５１とは反対側の端部に接続される操作片５３と、を有する。
【００４８】
軸部５０ａ、５０ｂは、切欠部３８ａ、３８ｂとともにヒンジ部７０を構成する。
連結部５１は、蓋部材５０が図２に示す噴出規制位置に位置する状態において前記ヒンジ部７０から前方に延びる。
蓋本体５２は、造泡筒２４の前端開口部を閉塞可能な円板状の蓋板部５２ａと、蓋板部５２ａの板面中央から突出し噴出孔２６ａを閉塞可能な封止ピン５２ｂと、封止ピン５２ｂを囲み造泡筒２４の前端に嵌合可能な封止筒５２ｃと、を有する。
【００４９】
操作片５３は、蓋板部５２ａの外周端から外側へ突出する。操作片５３は、図２に示す噴出規制位置において蓋板部５２ａから斜め後方へ延びる連結部５３ａと、連結部５３ａの先端から下側へ延びる操作部５３ｂとを有する。操作片５３は、左右方向の両側面に、梁部３４ｃ、３４ｄの切欠部３８ｃ、３８ｄに係合する係合突起５３ｃ、５３ｄを有する。
【００５０】
蓋部材５０は、図７に示すように、造泡筒２４が最も前方の前進位置に位置するときにも、噴出孔２６ａを閉塞可能である。本実施形態では、蓋部材５０が、噴出規制位置においてヒンジ部７０から前方へ延びる連結部５１を有することで、蓋本体５２の蓋板部５２ａとノズル本体２２との間隔を大きくすることができる。これにより、図２に示す造泡筒２４の後退位置では、造泡筒２４と蓋板部５２ａとの間に前後方向の隙間を有する。この構成により、蓋部材５０が噴出規制位置に位置するときにも、ノズル本体２２と蓋板部５２ａとの間で造泡筒２４を前後方向に移動させることができる。
【００５１】
以上の構成において、液体を噴出するときには、蓋部材５０を前方に向けて回動させ、造泡筒２４および噴出孔２６ａを開放する。その後、弾性部材１９を弾性変形させながら、トリガー部１５を後方に移動させ、ピストン１４ｂをシリンダ１４ａに対して後退移動させる。すると、シリンダ１４ａ内が加圧されてシリンダ１４ａ内の内容物が縦供給筒部１２内を上昇しようとする。これにより、吸い上げ弁１８が閉弁されパイプ１７内と射出筒部１３内との連通が遮断されるとともに、射出筒部１３内が加圧され連通孔２１ｂを通じて蓄圧室３５に供給され、蓄圧室３５の内圧が上昇する。
【００５２】
ここで、蓄圧室３５の内圧が所定値を超えると、蓄圧弁２３がコイルスプリング６０の前方付勢力に抗して後退移動させられ、蓄圧弁２３が弁座部２５から離間する。これにより、射出筒部１３の内部と噴出孔２６ａとが、連通し、液体が噴出孔２６ａから造泡筒２４内に噴出される。
【００５３】
このとき造泡筒２４内が負圧になり、造泡筒２４内に外気導入孔２４ａを通して外気（空気）が導入され、液体が、造泡筒２４内で外気と混合されて発泡して泡状となり、造泡筒２４の前端開口から噴出される。より詳細には、噴出孔２６ａから造泡筒２４内に噴出される液体は、霧状になっており、例えば、この霧状の液体が造泡筒２４内で造泡筒２４の内周面に衝突し、液体の流れが乱れることで外気と撹拌されて泡状になる。
【００５４】
そして、液体の噴出により蓄圧室３５の内圧が下がると、コイルスプリング６０の前方付勢力により蓄圧弁２３が前進移動させられる。これにより、蓄圧弁２３が弁座部２５に着座して、射出筒部１３の内部と噴出孔２６ａとの連通が遮断される。その後、弾性部材１９の弾性復元力に基づいてトリガー部１５を前方に復元移動させ、ピストン１４ｂをシリンダ１４ａに対して前進移動させると、シリンダ１４ａ内が減圧されて負圧化する。これにより、吸い上げ弁１８が開弁されパイプ１７内と射出筒部１３内とが連通され、容器体内の液体がパイプ１７を通してシリンダ１４ａ内に流入する。
【００５５】
以上説明したように、本実施形態に係るトリガー式液体噴出器１によれば、造泡筒２４が後退位置に位置しているときには、造泡筒２４の前端開口から噴出された泡状の液体は、造泡筒２４により噴出範囲が狭められることなく噴出され、造泡筒２４が前進位置に位置しているときには、造泡筒２４の前端開口からの泡状の液体は、造泡筒２４により噴出範囲が狭められた状態で噴出される。したがって、トリガー式液体噴出器１は単体で泡状の液体の噴出範囲を変更でき、使い勝手を向上させることができる。
また、蓋部材５０は、造泡筒２４が前進位置、後退位置のいずれに位置していても、噴出孔２６ａを閉塞できるので、噴出孔２６ａの開閉操作の操作性にも優れる。
【００５６】
なお、本発明の技術的範囲は前記実施形態に限定されるものではなく、本発明の趣旨を逸脱しない範囲において種々の変更を加えることが可能である。
上記実施形態において、蓄圧弁２３を有しないノズル機構２０を採用してもよい。
上記実施形態において、造泡筒２４の後退位置で外気導入孔２４ａの全体がキャップ装着筒部３３によって閉塞される構成としてもよい。あるいは、造泡筒２４の後退位置においても外気導入孔２４ａの全体が閉塞されない構成としてもよい。
上記実施形態において、造泡筒２４の外気導入孔２４ａは、造泡筒２４の内面に形成され造泡筒２４の後方側の端面に開口する溝部であってもよい。上記溝部を外気導入孔２４ａとする場合、造泡筒２４の後方側の端面をノズル本体２２の前面に接触させることで、溝部からなる外気導入孔２４ａを閉塞可能である。一方、溝部からなる外気導入孔２４ａを常時開放する場合には、造泡筒２４の後方への移動を規制する機構を、造泡筒２４の後端面とノズル本体２２の前面との間に設けるとよい。
上記実施形態において、造泡筒２４の外気導入孔２４ａは、造泡筒２４の周壁を後方側の端面から前方に向かって切り欠いた切り欠き部であってもよい。
【００５７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５８】
１…トリガー式液体噴出器、１１…噴出器本体、１２…縦供給筒部、１５…トリガー部、２０…ノズル機構、２１…中継部材、２２…ノズル本体、２４…造泡筒、２４ａ…外気導入孔、２６ａ…噴出孔、５０…蓋部材、５１，５３ａ…連結部、５２…蓋本体、７０…ヒンジ部、Ａ…容器体、Ｔ…トリガー機構
【図１】
2020192514.tif 000003
【図２】
2020192514.tif 000004
【図３】
2020192514.tif 000005
【図４】
2020192514.tif 000006
【図５】
2020192514.tif 000007
【図６】
2020192514.tif 000008
【図７】
2020192514.tif 000009